(57)【要約】      （修正有）【課題】より簡単な構成で回路ユニットの実装状態を監視することができるマルチユニット装置を提供する。【解決手段】複数の回路ユニットが実装されるマルチユニット装置において，第１の回路ユニットCU1から第２の回路ユニットCU2に第１のクロックCLK1を供給する１本の監視信号線MLが設けられ，第２の回路ユニットは，監視信号線を所定の電源にプルアップすると共に監視信号線の第１のクロックの有無を監視する監視モジュールMONIを有する。第２の回路ユニット内の監視モジュールは，第１の回路ユニットからの第１のクロックを検出した時は実装状態と，電源レベルを検出した時は未実装状態または監視信号線短絡状態と，そして，グランドレベルを検出した時はグランドと短絡状態と判別することができ，被監視対象の第１の回路ユニットCU1の実装状態を，監視信号線の短絡状態と区別することができる。【選択図】図３
2006252219.tif 000002
【特許請求の範囲】
【請求項１】
複数の回路ユニットが実装されるマルチユニット装置において，
第１のクロックを生成する第１の発振器と，当該第１のクロックに同期して動作する第１のプロセッサとを有する第１の回路ユニットと，
第２のクロックを生成する第２の発振器と，当該第２のクロックに同期して動作する第２のプロセッサとを有する第２の回路ユニットと，
前記第１の回路ユニットから第２の回路ユニットに前記第１のクロックを供給する１本の監視信号線とを有し，
前記第２の回路ユニットは，前記監視信号線を所定の電源にプルアップすると共に前記監視信号線の前記第１のクロックの有無を監視する監視モジュールを有するマルチユニット装置
【請求項２】
請求項１において，
さらに，前記第１及び第２の回路ユニット間に設けられた返信信号線を有し，
前記第２の回路ユニットの監視モジュールは，前記受信した第１のクロックに応答して，当該第２の回路ユニットの返信情報を返信信号線を介して前記第１の回路ユニットに返信するマルチユニット装置。
【請求項３】
請求項２において，
上記の第２の回路ユニットの監視モジュールは，前記第２のプロセッサにより書き換えられる返信情報レジスタを有し，前記受信した第１のクロックに応答して，当該返信情報レジスタ内の返信情報を前記返信信号線を介して第１の回路ユニットに返信するマルチユニット装置。
【請求項４】
複数の回路ユニットが実装されるマルチユニット装置において，
第１のクロックを生成する第１の発振器と，当該第１のクロックに同期して動作する第１のプロセッサとを有する第１の回路ユニットと，
第２のクロックを生成する第２の発振器と，当該第２のクロックに同期して動作する第２のプロセッサとを有する第２の回路ユニットと，
前記第１の回路ユニットから第２の回路ユニットに設けられた１本の監視信号線とを有し，
前記第１の回路ユニットは，前記第１のクロックに同期して監視情報パルスを前記監視信号線を介して第２の回路ユニットに送信し，前記第２の回路ユニットは，前記監視信号線を所定の電源にプルアップすると共に前記監視信号線の前記監視情報パルスの有無を監視する監視モジュールを有するマルチユニット装置。
【発明の詳細な説明】
【技術分野】
【０００１】
本発明は，複数の回路ユニットが実装されるマルチユニット装置に関し，特に，ユニット間の監視機能を有するマルチユニット装置に関する。
【背景技術】
【０００２】
電子装置は，複数の回路ユニットをバックパネルやケーブルを介して接続して構成される。電子装置内の回路ユニットの数が増大すると，回路ユニットの接続状態の故障が無視できなくなる。例えば大容量のストレージ装置の場合，複数の記録ディスクユニットを二重に設けたコントロールユニットにより制御する。記録ディスクユニットの故障は冗長構成により対応し，コントロールユニットの故障は二重化により対応する。このようなファイルシステムでは，各コントロールユニットが装置内に実装される全ての回路ユニットや記録ディスクユニット群の実装状態や動作状態を監視し，誤動作の発生を回避するようにしている。
【０００３】
このように，多数の回路ユニットが実装されるマルチユニット装置は，回路ユニットの実装状態を互いに監視しあうことが必要になる。従来のマルチユニット装置において，複数の回路ユニットの実装状態を監視する方法として，回路ユニット間を接続する監視信号線を設け，被監視ユニットは実装情報としてグランドレベルの信号を監視信号線に送出する。監視ユニットはこのグランドレベルの信号を検出して実装状態を確認する。かかる方法は，例えば，以下の特許文献１に記載されている。
【０００４】
特許文献１によれば，実装情報としてグランドレベルの信号を監視信号線で送出すると共に，所定の監視パターンのクロック信号を監視ユニットに送出する。監視ユニットは，被監視ユニットからの実装情報の信号と監視パターン信号とを受信して，実装状態を監視する。正常な監視パターン信号を受信すると共に，実装情報がグランドレベルの信号の場合に，実装状態と判定し，グランドレベルでない場合は未実装状態と判定する。
【特許文献１】特開平１１−３５５３９０号公報
【発明の開示】
【発明が解決しようとする課題】
【０００５】
しかしながら，マルチユニット装置において故障に対してより強固なシステム構成にする場合は，二重化されたコントローラが多数の回路ユニットに対して監視可能な構成を構築する必要がある。特許文献１に記載されたように，ユニット間で複数の配線を利用して実装状態を監視する構成は，コントローラが二重化されるようなマルチユニット装置に適用すると，実装状態監視のための信号線が増大し，実装用のコネクタが大型化するという課題を有する。
【０００６】
そこで，本発明の目的は，より簡単な構成で回路ユニットの実装状態を監視することができるマルチユニット装置を提供することにある。
【課題を解決するための手段】
【０００７】
上記の目的を達成するために，本発明の第１の側面によれば，複数の回路ユニットが実装されるマルチユニット装置において，第１のクロックを生成する第１の発振器と，当該第１のクロックに同期して動作する第１のプロセッサとを有する第１の回路ユニットと，第２のクロックを生成する第２の発振器と，当該第２のクロックに同期して動作する第２のプロセッサとを有する第２の回路ユニットとを有し，前記第１の回路ユニットから第２の回路ユニットに前記第１のクロックを供給する１本の監視信号線が設けられ，前記第２の回路ユニットは，前記監視信号線を所定の電源にプルアップすると共に前記監視信号線の前記第１のクロックの有無を監視する監視モジュールを有する。
【０００８】
上記の第１の側面によれば，第２の回路ユニット内の監視モジュールは，第１の回路ユニットからの第１のクロックを検出した時は実装状態と，電源レベルを検出した時は未実装状態または監視信号線短絡状態と，そして，グランドレベルを検出した時はグランドと短絡状態と判別することができ，被監視対象の第１の回路ユニットの実装状態を，監視信号線の短絡状態と区別することができる。
【０００９】
第１の側面において，好ましい実施例によれば，前記第１及び第２の回路ユニット間に設けられた返信信号線を有し，前記第２の回路ユニットの監視モジュールは，前記受信した第１のクロックに応答して，当該第２の回路ユニットの返信情報を返信信号線を介して前記第１の回路ユニットに返信する。この構成により，被監視ユニットである第１の回路ユニットは，第２の回路ユニットの実装状態と返信情報，例えば識別情報を取得することができる。
【００１０】
さらに，別の好ましい実施例によれば，上記の第２の回路ユニットの監視モジュールは，前記第２のプロセッサにより書き換えられる返信情報レジスタを有し，前記受信した第１のクロックに応答して，当該返信情報レジスタ内の返信情報を前記返信信号線を介して第１の回路ユニットに返信する。返信情報として，たとえば動作モード情報などリアルタイムに変化する情報にすることができ，互いの監視レベルを向上することができる。
【００１１】
上記の目的を達成するために，本発明の第２の側面によれば，複数の回路ユニットが実装されるマルチユニット装置において，第１のクロックを生成する第１の発振器と，当該第１のクロックに同期して動作する第１のプロセッサとを有する第１の回路ユニットと，第２のクロックを生成する第２の発振器と，当該第２のクロックに同期して動作する第２のプロセッサとを有する第２の回路ユニットとを有し，前記第１の回路ユニットから第２の回路ユニットに１本の監視信号線が設けられ，前記第１の回路ユニットは，前記第１のクロックに同期して監視情報パルスを前記監視信号線を介して第２の回路ユニットに送信し，前記第２の回路ユニットは，前記監視信号線を所定の電源にプルアップすると共に前記監視信号線の前記監視情報パルスの有無を監視する監視モジュールを有する。
【００１２】
上記第２の側面によれば，第２の回路ユニットの監視モジュールは，第１の回路ユニットからの第１のクロックに同期した監視情報を検出した時は実装状態と，電源レベルを検出した時は未実装状態または監視信号線短絡状態と，そして，グランドレベルを検出した時はグランドと短絡状態と判別することができ，被監視対象の第１の回路ユニットの実装状態を，監視信号線の短絡状態と区別することができる。さらに，監視モジュールは，第１の回路ユニットの監視情報として，例えば識別情報や動作モード情報を取得することができ，監視レベルを向上させることができる。
【発明の効果】
【００１３】
本発明によれば，単一の監視信号線により，監視信号線の故障と第１の回路ユニットの実装状態とを区別することができる。
【発明を実施するための最良の形態】
【００１４】
以下，図面にしたがって本発明の実施の形態について説明する。但し，本発明の技術的範囲はこれらの実施の形態に限定されず，特許請求の範囲に記載された事項とその均等物まで及ぶものである。以下，実施の形態をストレージ装置を例にして説明するが，本発明はそれに限定されず，複数の回路ユニットが実装され互いの実装状態を監視するマルチ回路ユニットに広く適用可能である。
【００１５】
図１は，本実施の形態が適用されるストレージ装置の構成図である。図１のストレージ装置は，複数の記録ディスクＤＳＫを有するディスクアレイユニットD-Arrayと，そのディスクアレイユニットD-Arrayを制御する第１及び第２のコントロールユニットＣＵ１，ＣＵ２と，これらコントロールユニットＣＵ１，ＣＵ２に電源を供給する第１及び第２のバッテリユニットＢＡＴ１，ＢＡＴ２と，動作状態などを表示する保守用の表示ユニットＤＩＳＰとを有する。２つのコントロールユニットＣＵ１，ＣＵ２を設けることで，一方のコントロールユニットが故障した場合でも他方のコントロールユニットによりディスクアレイD-Arrayを制御できるようにして，ディスクアレイユニットの記録情報が保護されるようにする。
【００１６】
また，ディスクアレイユニットD-Arrayは，複数の記録ディスクＤＳＫが冗長構成にされ，記録ディスクに故障が発生した場合でも他の記録ディスクが置き換え可能に制御される。
【００１７】
故障に対して強固な構成にするためにコントロールユニットが二重に設けられている。そして，各コントロールユニットＣＵ１，ＣＵ２は，それぞれが独立して，ストレージ装置内に実装される回路ユニットの実装状態や動作状態を監視し制御する。そのため，監視用の信号線や制御用の信号線が全て二重に必要になり，これらの信号線と実装のためのコネクタなどを大規模なものにしている。
【００１８】
図２は，ストレージ装置の一般的な実装監視構成を示す図である。図２には，第２のコントロールユニットＣＵ２が，他のユニットの実装状態を監視する構成を示す。第１及び第２のコントロールユニットＣＵ１，ＣＵ２が，バックパネルＢＰに実装されている。また，それ以外の複数の被監視回路ユニットＭＵ１〜ｎもバックパネルＢＰに実装されている。各ユニットの実装状態を監視するために，第２のコントロールユニットＣＵ２と被監視ユニットＣＵ１，ＭＵ１〜ｎとの間には，監視信号線ＭＬが設けられ，被監視ユニットＣＵ１，ＭＵ１〜ｎは，この監視信号線ＭＬをグランドに接続している。また，コントロールユニットＣＵ２は，制御用のプロセッサＭＰＵに加えて，他の回路ユニットを監視する監視モジュールＭＯＮＩを有し，監視モジュールＭＯＮＩは，監視信号線ＭＬを所定の電源ＶＤＤに抵抗素子Ｒを介してプルアップしている。
【００１９】
このような監視信号線を設けることで，被監視ユニットがバックパネルＢＰに実装されている場合は，この監視信号線ＭＬがグランドレベルになり，未実装の場合はプルアップレベルになるので，第２のコントロールユニットＣＵ２内の監視モジュールＭＯＮＩは，他の回路ユニットの実装・未実装の状態を認識することができる。
【００２０】
さらに，図２のストレージ装置では，監視信号線の短絡や断線などの故障に対応可能にするために，監視信号線ＭＬをそれぞれ二重に設けている。つまり，第２のコントロールユニットＣＵ２自信の実装状態を監視する監視構造Ｍ１は，２本の監視信号線ＭＬ１１，ＭＬ１２とプルアップ抵抗Ｒで構成されている。同様に，第１のコントロールユニットＣＵ１の実装状態を監視する監視構造Ｍ２も，２本の監視信号線ＭＬ２１，ＭＬ２２とプルアップ抵抗で構成され，他の被監視ユニットＭＵ１〜ｎの実装状態を監視する監視構造Ｍ３も，それぞれ２本の監視信号線ＭＬ３１，ＭＬ３２とプルアップ抵抗で構成される。
【００２１】
このように，監視信号線ＭＬを２重化することで，監視信号線がグランドに短絡した場合に，誤って実装状態と認識されるのを防止する。つまり，一方の監視信号線ＭＬがグランドに短絡した場合，監視信号は実装状態を示すグランドレベルになるが，未実装状態の時は他の監視信号線ＭＬが電源レベルになるので，２本の監視信号線を利用することで，監視信号線自体に故障が発生しても，被監視回路ユニットの実装状態を検出することができる。
【００２２】
しかしながら，図２の構成は全ての監視信号線が二重化され，信号線本数の増大とバックパネルのコネクタの大型化を招き好ましくない。とくに，コントロールユニットＣＵ１，ＣＵ２が二重化されるストレージ装置の場合は，上記の監視信号線本数の増大やコネクタの大型化は深刻な問題である。
【００２３】
図３は，第１の実施の形態におけるマルチユニット装置の構成図である。図３では，簡単のために，バックパネルＢＰに実装される第１及び第２のコントロールユニットＣＵ１，ＣＵ２のみを示し，第２のコントロールユニットＣＵ１が，第１のコントロールユニットＣＵ１の実装状態を監視するものとする。
【００２４】
第１及び第２のコントロールユニットＣＵ１，ＣＵ２は，ディスクアレイユニットD-Arrayや表示ユニットＤＩＳＰをそれぞれ独立して制御する制御プロセッサＭＰＵ１，ＭＰＵ２を有する。これらの第１及び第２のプロセッサＭＰＵ１，２は，それぞれコントロールユニット内の第１及び第２の発振器ＯＳＣ１，２が生成する第１及び第２のクロックＣＬＫ１，２に同期して動作する。これらの第１及び第２のクロックＣＬＫ１，ＣＬＫ２との間には，同期関係はなく，したがって，各コントロールユニットＣＵ１，ＣＵ２のプロセッサは独立して動作し，互いの制御クロックを必要としていない。
【００２５】
そして，第２のコントロールユニットＣＵ２は，第１のコントロールユニットＣＵ１の実装状態を監視するために，監視モジュールＭＯＮＩを内蔵する。また，第１及び第２のコントロールユニットＣＵ１，ＣＵ２との間には，単一の監視信号線ＭＬが設けられている。そして，監視モジュールＭＯＮＩは，図示しないが，図２と同様に監視信号線ＭＬを所定の電源に負荷抵抗を介してプルアップしている。また，第１のコントロールユニットＣＵ１は，第１のクロックＣＬＫ１を，監視信号線ＭＬを介して第２のコントロールユニットＣＵ２に供給する。第２のコントロールユニットＣＵ２の監視モジュールＭＯＮＩは，監視信号線ＭＬの状態を監視し，第１のコントロールユニットの実装状態を監視する。
【００２６】
図３には，監視信号線ＭＬの状態（１）〜（４）が示されている。第１のコントロールユニットＣＵ１が正常にバックパネルＢＰに実装されている場合（１）は，監視モジュールＭＯＮＩは，監視信号線ＭＬが時間的にＨレベルとＬレベルとに変化するクロック信号を検出する。未実装の状態（２）では，監視信号線ＭＬが開放状態になるので，監視モジュールＭＯＮＩ内のプルアップ抵抗により監視信号線ＭＬは電源ＶＤＤレベルになる。また，監視信号線ＭＬが断線状態（３）では，未実装状態と同様に監視信号線ＭＬが電源ＶＤＤレベルになる。さらに，監視信号線ＭＬがグランドに短絡している状態（４）では，監視信号線ＭＬがグランドレベルＧＮＤになる。したがって，監視モジュールＭＯＮＩは，第１のコントロールユニットＣＵ１の実装状態と，監視信号線ＭＬの故障状態とを区別することができ，未実装にかかわらず監視信号線ＭＬのグランドへの短絡故障により実装状態と誤って認識することが防止される。
【００２７】
このように，互いに独立したクロックＣＬＫ１，ＣＬＫ２で独立して動作する第１及び第２のコントロールユニットＣＵ１，ＣＵ２で，第１のコントロールユニットから第２のコントロールユニットにクロックＣＬＫ１を単一の監視信号線ＭＬを介して供給することで，監視信号線ＭＬの故障と区別して実装状態を確認することができる。つまり，第１及び第２のコントロールユニットは，それぞれの制御動作には必要のない他方の制御クロックを供給されることで，他方の実装状態を監視することができる。そして，監視信号線ＭＬは単一の信号線で構成されるので，マルチユニット装置の監視信号線数とそのコネクタ規模とを少なくそして小さくすることができる。
【００２８】
図４は，第２の実施の形態におけるマルチユニット装置の構成図である。このマルチユニット装置も，被監視ユニットＣＵ１からそのクロックＣＬＫ１が単一の監視信号線ＭＬを介して監視ユニットである第１のコントロールユニットＣＵ１の監視モジュールＭＯＮＩ−２に供給される。それぞれのコントロールユニットがそれぞれプロセッサＭＰＵ１，２と発振器ＯＳＣ１，２を有するのは，図３の例と同じである。
【００２９】
第２の実施の形態において，図３の例と異なり，第１のコントロールユニットＣＵ２内の監視モジュールＭＯＮＩ−２が，監視信号線ＭＬのクロックを検出するクロック検出手段ＣＤＥＴと，検出したクロックＣＬＫ１に応答してまたは同期して，識別情報レジスタＩＤ内の多ビットデータをシリアルに変換して応答信号線ＲＥＳに出力するパラレル・シリアル変換手段Ｐ／Ｓとを有する。そして，クロック検出手段ＣＤＥＴの検出結果は，実装情報としてプロセッサＭＰＵ２に供給される。
【００３０】
図４には，監視信号線ＭＬから検出される信号パターン（１）〜（４）が示されている。このパターンは，図３と同じである。さらに，図４には，応答信号線ＲＥＳにより返信される識別信号ＩＤのパターン例（５）が示されている。第２の実施の形態では，単一の監視信号線ＭＬを介して第１のコントロールユニットＣＵ１の第１のクロックＣＬＫ１を供給されることで，監視モジュールＭＯＮＩ−２は，第１のコントロールユニットＣＵ１の実装状態を監視信号線ＭＬの故障とは区別して検出可能である。そして，正常に実装されていることが検出された時に，第１のクロックＣＬＫ１に応答して，第２のコントロールユニットＣＵ２の識別情報ＩＤを応答信号線ＲＥＳにより第１のコントロールユニットＣＵ１内の監視モジュールＭＯＮＩ−１に送信する。よって，監視モジュールＭＯＮＩ−１は，第２のコントロールユニットＣＵ２のＩＤ情報を取得することができ，第１のコントロールユニットＣＵ１は，第２のコントロールユニットＣＵ２の実装状態を同時に監視することができる。
【００３１】
図５は，第３の実施の形態におけるマルチユニット装置の構成図である。このマルチユニット装置は，図４の第２の実施の形態の改良例である。第２のコントロールユニットＣＵ２の監視モジュールＭＯＮＩ−２は，プロセッサＭＰＵ２により書き換え可能なレジスタＲＥＧ２を有し，クロック検出手段ＣＤＥＴが検出した第１のクロックＣＬＫ１に同期して，レジスタＲＥＧ２内の複数ビット情報をシリアルデータに変換し，応答信号線ＲＥＳを介して第１のコントロールユニットＣＵ１の監視モジュールＭＯＮＩ−１に供給する。プロセッサＭＰＵ２は，レジスタＲＥＧ２に例えば現在の動作モード情報を書き込む。それにより，第１のコントロールユニットＣＵ１の監視モジュールＭＯＮＩ−１は，第２のコントロールユニットＣＵ２の動作モード情報を受信し，レジスタＲＥＧ１に格納する。このレジスタＲＥＧ１はプロセッサＭＰＵ１により読み出される。
【００３２】
図５には，監視信号線ＭＬの信号パターン（１）〜（４）が示されると共に，応答信号線ＲＥＳの信号パターンとして動作モードＡ（５）と動作モードＢ（６）とが示される。かかる動作モード信号パターンを受信することで，第１のコントロールユニットＣＵ１の監視モジュールは，第２のコントロールユニットの動作モードも監視することができる。
【００３３】
このように，第３の実施の形態のマルチユニット装置は，第２の実施の形態と同様に，単一の監視信号線ＭＬを介して第１のコントロールユニットＣＵ１の第１のクロックＣＬＫ１を供給されることで，監視モジュールＭＯＮＩ−２は，第１のコントロールユニットＣＵ１の実装状態を監視信号線ＭＬの故障とは区別して検出できる。また，正常に実装されていることが検出された時に，第２のコントロールユニットＣＵ２の動作情報を応答信号線ＲＥＳにより第１のコントロールユニットＣＵ１内の監視モジュールＭＯＮＩ−１に送信するので，その監視モジュールＭＯＮＩ−１は，第２のコントロールユニットＣＵ２の動作モード情報を取得することができ，さらに，第１のコントロールユニットＣＵ１は，第２のコントロールユニットＣＵ２の実装状態も同時に監視できる。
【００３４】
上記第２及び第３の実施の形態のマルチユニット装置では，それぞれ単一の監視信号線ＭＬ，単一の返信信号線ＲＥＳにより，第１及び第２のコントロールユニットそれぞれの実装状態を，信号線の故障と区別して検出することができる。
【００３５】
図３，４，５に示した監視構造は，第１のコントロールユニットＣＵ１が第２のコントロールユニットＣＵ２の実装状態を監視する場合にも適用できる。その場合は，第１と第２のコントロールユニットの関係が，逆になるだけである。
【００３６】
図６は，第４の実施の形態におけるマルチユニット装置の構成図である。この例でも，第２のコントロールユニットＣＵ２が第１のコントロールユニットＣＵ１の実装状態を監視する。第１のコントロールユニットＣＵ１では，第１のクロックＣＬＫ１に同期して，レジスタＲＥＧ内に書き込まれた動作モード情報をパラレル・シリアル変換手段Ｐ／Ｓによりシリアルデータにして，監視信号線ＭＬから第２のコントロールユニットＣＵ２の監視モジュールＭＯＮＩに供給する。レジスタＲＥＧには，プロセッサＭＰＵ１が現在の動作モード情報を書き込む。また，監視モジュールＭＯＮＩは，監視信号線ＭＬを図示しない抵抗を介して電源レベルにプルアップしている。
【００３７】
図６には，監視信号線ＭＬに現れる信号パターンが示されている。第１のコントロールユニットＣＵ１がバックパネルＢＰに正常に実装されている場合は，レジスタＲＥＧに書き込まれた動作モードＡ，Ｂに対応する信号パターン（１）（２）が，第１のクロックＣＬＫ１に同期して監視信号線ＭＬに現れる。また，監視信号線ＭＬが断線しているときは電源レベル（３）が，グランドに短絡しているときはグランドレベル（４）が現れる。また，第１のコントロールユニットＣＵ１が実装されていない場合は，断線（３）と同じ電源レベルが現れる。したがって，監視モジュールＭＯＮＩは，第１のコントロールユニットＣＵ１の実装状態を検出できると共に，第１のコントロールユニットＣＵ１の動作モードも検出することができる。
【００３８】
このように，被監視ユニットが時間経過と共に変化するクロックや所定のパターンのパルス列を単一の監視信号線ＭＬを介して監視ユニットに送信することで，監視ユニットは，監視信号線ＭＬの断線，グランド短絡と区別して，正常実装状態を検出することができる。さらに，被監視ユニットからのクロックなどに応答して監視ユニットから識別情報などをクロックに同期して出力することで，被監視ユニットからも監視ユニットの実装状態を監視することができる。つまり，２つの回路ユニットが実装状態などを相互に監視しあうことができる。
【００３９】
以上の実施の形態をまとめると，次の付記のとおりである。
【００４０】
（付記１）複数の回路ユニットが実装されるマルチユニット装置において，
第１のクロックを生成する第１の発振器と，当該第１のクロックに同期して動作する第１のプロセッサとを有する第１の回路ユニットと，
第２のクロックを生成する第２の発振器と，当該第２のクロックに同期して動作する第２のプロセッサとを有する第２の回路ユニットと，
前記第１の回路ユニットから第２の回路ユニットに前記第１のクロックを供給する１本の監視信号線とを有し，
前記第２の回路ユニットは，前記監視信号線を所定の電源にプルアップすると共に前記監視信号線の前記第１のクロックの有無を監視する監視モジュールを有するマルチユニット装置。
【００４１】
（付記２）付記１において，
前記第２の回路ユニット内の監視モジュールは，第１の回路ユニットからの第１のクロックを検出した時は実装状態と，電源レベルを検出した時は未実装状態または監視信号線短絡状態と，グランドレベルを検出した時はグランドと短絡状態と判別するマルチユニット装置。
【００４２】
（付記３）付記１において，
さらに，前記第１及び第２の回路ユニット間に設けられた返信信号線を有し，
前記第２の回路ユニットの監視モジュールは，前記受信した第１のクロックに応答して，当該第２の回路ユニットの返信情報を返信信号線を介して前記第１の回路ユニットに返信するマルチユニット装置。
【００４３】
（付記４）付記３において，
上記の第２の回路ユニットの監視モジュールは，前記第２のプロセッサにより書き換えられる返信情報レジスタを有し，前記受信した第１のクロックに応答して，当該返信情報レジスタ内の返信情報を前記返信信号線を介して第１の回路ユニットに返信するマルチユニット装置。
【００４４】
（付記５）付記４において，
前記返信情報は，少なくとも動作モード情報を含むリアルタイムに変化する情報であるマルチユニット装置。
【００４５】
（付記６）複数の回路ユニットが実装されるマルチユニット装置において，
第１のクロックを生成する第１の発振器と，当該第１のクロックに同期して動作する第１のプロセッサとを有する第１の回路ユニットと，
第２のクロックを生成する第２の発振器と，当該第２のクロックに同期して動作する第２のプロセッサとを有する第２の回路ユニットと，
前記第１の回路ユニットから第２の回路ユニットに設けられた１本の監視信号線とを有し，
前記第１の回路ユニットは，前記第１のクロックに同期して監視情報パルスを前記監視信号線を介して第２の回路ユニットに送信し，前記第２の回路ユニットは，前記監視信号線を所定の電源にプルアップすると共に前記監視信号線の前記監視情報パルスの有無を監視する監視モジュールを有するマルチユニット装置。
【００４６】
（付記７）付記６において，
前記第１の回路ユニットは，前記監視情報を書き込むレジスタを有し，前記第１のプロセッサは，当該レジスタに動作モード情報を書き込み，当該動作モード情報が前記監視情報パルスとして前記監視信号線を介して送信されるマルチユニット装置。
【図面の簡単な説明】
【００４７】
【図１】本実施の形態が適用されるストレージ装置の構成図である。
【図２】ストレージ装置の一般的な実装監視構成を示す図である。
【図３】第１の実施の形態におけるマルチユニット装置の構成図である。
【図４】第２の実施の形態におけるマルチユニット装置の構成図である。
【図５】第３の実施の形態におけるマルチユニット装置の構成図である。
【図６】第４の実施の形態におけるマルチユニット装置の構成図である。
【符号の説明】
【００４８】
ＣＵ１，ＣＵ２：第１，第２の回路ユニット
ＭＰＵ１，ＭＰＵ２：第１，第２のプロセッサ
ＣＬＫ１，ＣＬＫ２：第１，第２のクロック
ＭＬ：監視信号線                        ＭＯＮＩ：監視モジュール
ＢＰ：バックパネル
【図１】
2006252219.tif 000003
【図２】
2006252219.tif 000004
【図３】
2006252219.tif 000005
【図４】
2006252219.tif 000006
【図５】
2006252219.tif 000007
【図６】
2006252219.tif 000008